(57)【要約】【課題】DVB-C2を次世代のデジタルケーブルテレビ放送の方式とすることができるようにする。【解決手段】デジタルケーブルテレビ放送の規格に準拠したデジタル放送信号で伝送されるDVB-C2の規格に準拠した第１の記述子に含まれる伝送制御情報を少なくとも含む第２の記述子に基づいて、デジタル放送信号で伝送されるデータの受信を制御する制御部を備える受信装置が提供される。本技術は、例えば、次世代のデジタルケーブルテレビ放送に対応した受信機に適用することができる。【選択図】図２１
2015211280.tif 000002
【特許請求の範囲】
【請求項１】
デジタルケーブルテレビ放送の規格に準拠したデジタル放送信号を受信する受信部と、
前記デジタル放送信号で伝送されるDVB-C2(Digital Video Broadcasting - Cable second generation)の規格に準拠した第１の記述子に含まれる伝送制御情報を少なくとも含む第２の記述子に基づいて、前記デジタル放送信号で伝送されるデータの受信を制御する制御部と
を備える受信装置。
【請求項２】
前記伝送制御情報には、チューニング周波数を示す情報と、PLP(Physical Layer Pipe)を識別するPLP IDが含まれる
請求項１に記載の受信装置。
【請求項３】
前記伝送制御情報には、記述子タグ、記述子長、同一の記述子タグであるが異なる記述子を使用するために使用する値が指定される記述子タグ拡張、データスライスを識別するデータスライスID、前記チューニング周波数の種類、OFDM(Orthogonal Frequency Division Multiplexing)の有効シンボル長、及び、OFDMのガードインターバルを示す情報がさらに含まれる
請求項２に記載の受信装置。
【請求項４】
前記第２の記述子は、PLPを伝送するために使用するデータスライスの数が指定されるバンドルドチャンネルを含む
請求項３に記載の受信装置。
【請求項５】
前記バンドルドチャンネルにより指定されるデータスライスの数に応じて、送信側において、高データレートのストリームを、複数の分割ストリームに分割して伝送し、受信側において、複数の分割ストリームを、元のデータレートのストリームに再構築するPLPバンドリングの使用の有無が指定される
請求項４に記載の受信装置。
【請求項６】
前記第２の記述子は、前記バンドルドチャンネルにより指定されるデータスライスの数に応じて、データスライスごとの情報が配置される
請求項５に記載の受信装置。
【請求項７】
前記第２の記述子は、符号化方式、及び、変調方式を示す情報をさらに含む
請求項４に記載の受信装置。
【請求項８】
前記符号化方式、及び、前記変調方式を示す情報は、特定の符号化方式と特定の変調方式が指定されたL1信号の参照を指示する
請求項７に記載の受信装置。
【請求項９】
前記符号化方式を示す情報には、特定の符号化方式が指示され、
前記変調方式を示す情報には、特定の変調方式が指示される
請求項７に記載の受信装置。
【請求項１０】
受信装置の受信方法において、
前記受信装置が、
デジタルケーブルテレビ放送の規格に準拠したデジタル放送信号を受信し、
前記デジタル放送信号で伝送されるDVB-C2の規格に準拠した第１の記述子に含まれる伝送制御情報を少なくとも含む第２の記述子に基づいて、前記デジタル放送信号で伝送されるデータの受信を制御する
ステップを含む受信方法。
【請求項１１】
DVB-C2の規格に準拠した第１の記述子に含まれる伝送制御情報を少なくとも含む第２の記述子を生成する生成部と、
生成された前記第２の記述子と、前記第２の記述子により受信が制御されるデータを、デジタルケーブルテレビ放送の規格に準拠したデジタル放送信号で送信する送信部と
を備える送信装置。
【請求項１２】
前記伝送制御情報には、チューニング周波数を示す情報と、PLPを識別するPLP IDが含まれる
請求項１１に記載の送信装置。
【請求項１３】
前記伝送制御情報には、記述子タグ、記述子長、同一の記述子タグであるが異なる記述子を使用するために使用する値が指定される記述子タグ拡張、データスライスを識別するデータスライスID、前記チューニング周波数の種類、OFDMの有効シンボル長、及び、OFDMのガードインターバルを示す情報がさらに含まれる
請求項１２に記載の送信装置。
【請求項１４】
前記第２の記述子は、PLPを伝送するために使用するデータスライスの数が指定されるバンドルドチャンネルを含む
請求項１３に記載の送信装置。
【請求項１５】
前記バンドルドチャンネルにより指定されるデータスライスの数に応じて、送信側において、高データレートのストリームを、複数の分割ストリームに分割して伝送し、受信側において、複数の分割ストリームを、元のデータレートのストリームに再構築するPLPバンドリングの使用の有無が指定される
請求項１４に記載の送信装置。
【請求項１６】
前記第２の記述子は、前記バンドルドチャンネルにより指定されるデータスライスの数に応じて、データスライスごとの情報が配置される
請求項１５に記載の送信装置。
【請求項１７】
前記第２の記述子は、符号化方式、及び、変調方式を示す情報をさらに含む
請求項１４に記載の送信装置。
【請求項１８】
前記符号化方式、及び、前記変調方式を示す情報は、特定の符号化方式と特定の変調方式が指定されたL1信号の参照を指示する
請求項１７に記載の送信装置。
【請求項１９】
前記符号化方式を示す情報には、特定の符号化方式が指示され、
前記変調方式を示す情報には、特定の変調方式が指示される
請求項１７に記載の送信装置。
【請求項２０】
送信装置の送信方法において、
前記送信装置が、
DVB-C2の規格に準拠した第１の記述子に含まれる伝送制御情報を少なくとも含む第２の記述子を生成し、
生成された前記第２の記述子と、前記第２の記述子により受信が制御されるデータを、デジタルケーブルテレビ放送の規格に準拠したデジタル放送信号で送信する
ステップを含む送信方法。
【発明の詳細な説明】
【技術分野】
【０００１】
本技術は、受信装置、受信方法、送信装置、及び、送信方法に関し、特に、DVB-C2を次世代のデジタルケーブルテレビ放送の方式とすることができるようにした受信装置、受信方法、送信装置、及び、送信方法に関する。
【背景技術】
【０００２】
日本においては、次世代のデジタルケーブルテレビ放送の方式として、DVB-C2(Digital Video Broadcasting - Cable second generation)の規格の採用が見込まれている。また、DVB-C2の記述子は、DVB-SI(DVB - Specification for Service Information)において規格化されている（例えば、非特許文献１参照）。
【先行技術文献】
【非特許文献】
【０００３】
【非特許文献１】ETSI EN 300 468 V1.13.1 (2012-08)
【発明の概要】
【発明が解決しようとする課題】
【０００４】
しかしながら、現状では、DVB-C2を、日本国内の次世代のデジタルケーブルテレビ放送の方式とするための技術方式は確立されていない。
【０００５】
本技術はこのような状況に鑑みてなされたものであり、DVB-C2を次世代のデジタルケーブルテレビ放送の方式とすることができるようにするものである。
【課題を解決するための手段】
【０００６】
本技術の第１の側面の受信装置は、デジタルケーブルテレビ放送の規格に準拠したデジタル放送信号を受信する受信部と、前記デジタル放送信号で伝送されるDVB-C2(Digital Video Broadcasting - Cable second generation)の規格に準拠した第１の記述子に含まれる伝送制御情報を少なくとも含む第２の記述子に基づいて、前記デジタル放送信号で伝送されるデータの受信を制御する制御部とを備える受信装置である。
【０００７】
前記伝送制御情報には、チューニング周波数を示す情報と、PLP(Physical Layer Pipe)を識別するPLP IDが含まれるようにすることができる。
【０００８】
前記伝送制御情報には、記述子タグ、記述子長、同一の記述子タグであるが異なる記述子を使用するために使用する値が指定される記述子タグ拡張、データスライスを識別するデータスライスID、前記チューニング周波数の種類、OFDM(Orthogonal Frequency Division Multiplexing)の有効シンボル長、及び、OFDMのガードインターバルを示す情報がさらに含まれるようにすることができる。
【０００９】
前記第２の記述子は、PLPを伝送するために使用するデータスライスの数が指定されるバンドルドチャンネルを含むようにすることができる。
【００１０】
前記バンドルドチャンネルにより指定されるデータスライスの数に応じて、送信側において、高データレートのストリームを、複数の分割ストリームに分割して伝送し、受信側において、複数の分割ストリームを、元のデータレートのストリームに再構築するPLPバンドリングの使用の有無が指定されるようにすることができる。
【００１１】
前記第２の記述子は、前記バンドルドチャンネルにより指定されるデータスライスの数に応じて、データスライスごとの情報が配置されるようにすることができる。
【００１２】
前記第２の記述子は、符号化方式、及び、変調方式を示す情報をさらに含むようにすることができる。
【００１３】
前記符号化方式、及び、前記変調方式を示す情報は、特定の符号化方式と特定の変調方式が指定されたL1信号の参照を指示するようにすることができる。
【００１４】
前記符号化方式を示す情報には、特定の符号化方式が指示され、前記変調方式を示す情報には、特定の変調方式が指示されるようにすることができる。
【００１５】
前記受信装置は、独立した装置であってもよいし、１つの装置を構成している内部ブロックであってもよい。
【００１６】
本技術の第１の側面の受信方法は、上述した本技術の第１の側面の受信装置に対応する受信方法である。
【００１７】
本技術の第１の側面の受信装置、及び、受信方法においては、デジタルケーブルテレビ放送の規格に準拠したデジタル放送信号が受信され、前記デジタル放送信号で伝送されるDVB-C2の規格に準拠した第１の記述子に含まれる伝送制御情報を少なくとも含む第２の記述子に基づいて、前記デジタル放送信号で伝送されるデータの受信が制御される。
【００１８】
本技術の第２の側面の送信装置は、DVB-C2の規格に準拠した第１の記述子に含まれる伝送制御情報を少なくとも含む第２の記述子を生成する生成部と、生成された前記第２の記述子と、前記第２の記述子により受信が制御されるデータを、デジタルケーブルテレビ放送の規格に準拠したデジタル放送信号で送信する送信部とを備える送信装置である。
【００１９】
前記伝送制御情報には、チューニング周波数を示す情報と、PLPを識別するPLP IDが含まれるようにすることができる。
【００２０】
前記伝送制御情報には、記述子タグ、記述子長、同一の記述子タグであるが異なる記述子を使用するために使用する値が指定される記述子タグ拡張、データスライスを識別するデータスライスID、前記チューニング周波数の種類、OFDMの有効シンボル長、及び、OFDMのガードインターバルを示す情報がさらに含まれるようにすることができる。
【００２１】
前記第２の記述子は、PLPを伝送するために使用するデータスライスの数が指定されるバンドルドチャンネルを含むようにすることができる。
【００２２】
前記バンドルドチャンネルにより指定されるデータスライスの数に応じて、送信側において、高データレートのストリームを、複数の分割ストリームに分割して伝送し、受信側において、複数の分割ストリームを、元のデータレートのストリームに再構築するPLPバンドリングの使用の有無が指定されるようにすることができる。
【００２３】
前記第２の記述子は、前記バンドルドチャンネルにより指定されるデータスライスの数に応じて、データスライスごとの情報が配置されるようにすることができる。
【００２４】
前記第２の記述子は、符号化方式、及び、変調方式を示す情報をさらに含むようにすることができる。
【００２５】
前記符号化方式、及び、前記変調方式を示す情報は、特定の符号化方式と特定の変調方式が指定されたL1信号の参照を指示するようにすることができる。
【００２６】
前記符号化方式を示す情報には、特定の符号化方式が指示され、前記変調方式を示す情報には、特定の変調方式が指示されるようにすることができる。
【００２７】
前記送信装置は、独立した装置であってもよいし、１つの装置を構成している内部ブロックであってもよい。
【００２８】
本技術の第２の側面の送信方法は、上述した本技術の第２の側面の送信装置に対応する送信方法である。
【００２９】
本技術の第２の側面の送信装置、及び、送信方法においては、DVB-C2の規格に準拠した第１の記述子に含まれる伝送制御情報を少なくとも含む第２の記述子が生成され、生成された前記第２の記述子と、前記第２の記述子により受信が制御されるデータが、デジタルケーブルテレビ放送の規格に準拠したデジタル放送信号で送信される。
【発明の効果】
【００３０】
本技術の第１の側面、及び、第２の側面によれば、DVB-C2を次世代のデジタルケーブルテレビ放送の方式とすることができる。
【００３１】
なお、ここに記載された効果は必ずしも限定されるものではなく、本開示中に記載されたいずれかの効果であってもよい。
【図面の簡単な説明】
【００３２】
【図１】DVB-C2の記述子を示す図である。
【図２】NITのデータ構造を示す図である。
【図３】記述子１のデータ構造を示す図である。
【図４】記述子の各情報の意味を示す図である。
【図５】記述子２のデータ構造を示す図である。
【図６】記述子３のデータ構造を示す図である。
【図７】記述子４のデータ構造を示す図である。
【図８】C2 Tune Frequency Typeの例を示す図である。
【図９】OFDMの有効シンボル長の例を示す図である。
【図１０】OFDMのガードインターバル長の例を示す図である。
【図１１】外符号の情報の例を示す図である。
【図１２】変調方式の情報の例を示す図である。
【図１３】内符号の情報の例を示す図である。
【図１４】外符号の情報の他の例を示す図である。
【図１５】変調方式の情報の他の例を示す図である。
【図１６】内符号の情報の他の例を示す図である。
【図１７】内符号の情報のさらに他の例を示す図である。
【図１８】内符号の情報のさらに他の例を示す図である。
【図１９】本技術を適用した伝送システムの一実施の形態の構成を示す図である。
【図２０】送信装置の第１の構成例を示す図である。
【図２１】受信装置の第１の構成例を示す図である。
【図２２】送信装置の第２の構成例を示す図である。
【図２３】受信装置の第２の構成例を示す図である。
【図２４】送信処理を説明するフローチャートである。
【図２５】受信処理を説明するフローチャートである。
【図２６】コンピュータの構成例を示す図である。
【発明を実施するための形態】
【００３３】
以下、図面を参照しながら本技術の実施の形態について説明する。なお、説明は以下の順序で行うものとする。
【００３４】
１．DVB-C2の記述子
２．本技術を適用した記述子
３．システム構成
４．各装置で実行される処理の流れ
５．コンピュータの構成
【００３５】
＜１．DVB-C2の記述子＞
【００３６】
図１は、DVB-C2の記述子を示す図である。なお、このDVB-C2の記述子は、上述した非特許文献１（以下、「DVB-SI規格書」という。）に規定されている。
【００３７】
図１において、descriptor_tagは、8ビットのフィールドで、当該記述子を識別するための値が指定される。descriptor_lengthは、8ビットのフィールドで、当該記述子の長さがバイト単位で指定される。descriptor_tag_extensionは、8ビットのフィールドで、同一の記述子タグであるが、異なる記述子を使用するために使用する値が指定される。
【００３８】
plp_idは、8ビットのフィールドで、PLP(Physical Layer Pipe)のIDを示す値が指定される。data_slice_idは、8ビットのフィールドで、データスライスのIDを示す値が指定される。なお、PLPとデータスライスの詳細については後述する。
【００３９】
C2_tuning_frequencyは、32ビットのフィールドで、C2_tuning_frequency_typeに基づいたチューニング周波数がHz単位で指定される。C2_tuning_frequency_typeは、2ビットのフィールドで、DVB-SI規格書に基づいたチューニング周波数の種類が定義される。
【００４０】
active_OFDM_symbol_durationは、3ビットのフィールドで、DVB-SI規格書に基づいたOFDM(Orthogonal Frequency Division Multiplexing)の有効シンボル長が定義される。guard_intervalは、3ビットのフィールドで、DVB-SI規格書に基づいたOFDMのガードインターバル長が定義される。
【００４１】
＜２．本技術を適用した記述子＞
【００４２】
本技術を適用した記述子は、図１のDVB-C2の記述子に記述された情報（以下、「伝送制御情報」という。）に従い、伝送する必要がある情報を規定することになる。また、本技術を適用した記述子は、例えば、NIT(Network Information Table)内の所定の領域に配置されて伝送される。
【００４３】
（NITのデータ構造）
図２は、NITのデータ構造を示す図である。
【００４４】
NITは、例えば、チャンネル番号や変調方式、ガードインターバルなど、送信するネットワークに関する情報が含まれる。図２に示すように、NITは、TSパケットで伝送される。TSパケットのヘッダには、pid(packet identifier)が含まれるが、NITのpidは、"0x0010"とされる。また、図２において、NITには、記述子を配置するための領域として、記述子領域１と記述子領域２が設けられているが、本技術を適用した記述子は、記述子領域２に配置されることになる。
【００４５】
以下、図２のNITの記述子領域２に配置される、本技術を適用した記述子について説明する。ここでは、当該記述子として、４つの記述子１乃至記述子４について順に説明する。
【００４６】
（１）記述子１のデータ構造
図３は、記述子１のデータ構造を示す図である。なお、図４には、記述子１に配置される各情報の意味が示されており、適宜参照しながら説明する。
【００４７】
図３において、記述子１には、記述子タグ、記述子長、記述子タグ拡張、PLP ID、データスライスID(Data Slice ID)、チューニング周波数(Tune Freq)、チューニング周波数の種類(Tune Freq Type)、有効シンボル長、ガードインターバル(GI：Guard Interval)、外符号、変調、内符号、及び、バンドルドチャンネル(bundled channel)を示す情報が、その順番で配置されている。また、記述子１では、bundled channelを示す情報に応じて、図中の「繰り返し」の部分に、Data Slice ID、Tune Freq、Tune Freq Type、外符号、変調、及び、内符号が、その順番で配置される。
【００４８】
なお、図３において、各情報の下側に配置された数値は、その情報のビット数を表している。これらの情報とビット数との関係は、後述する他の図でも同様とされる。
【００４９】
記述子タグは、8ビットのフィールドで、当該記述子１を識別するための値が指定される。記述子長は、8ビットのフィールドで、当該記述子１の長さがバイト単位で指定される。記述子タグ拡張は、8ビットのフィールドで、同一の記述子タグだが、異なる記述子を使用するために使用する値が指定される。
【００５０】
PLP IDは、8ビットのフィールドで、PLPのIDを示す値が指定される。Data Slice IDは、8ビットのフィールドで、データスライスのIDを示す値が指定される。なお、PLPとデータスライスの詳細については後述する。
【００５１】
Tune Freqは、32ビットのフィールドで、Tuning Frequencyの略であって、Tune Freq Typeに基づいたチューニング周波数がHz単位で指定される。Tune Freq Typeは、Tuning Frequency Typeの略であって、2ビットのフィールドで、DVB-SI規格書に基づいたチューニング周波数の種類が定義される。
【００５２】
有効シンボル長は、3ビットのフィールドで、DVB-SI規格書に基づいたOFDMの有効シンボル長が定義される。GIは、Guard Intervalの略であって、3ビットのフィールドで、DVB-SI規格書に基づいたOFDMのガードインターバル長が定義される。
【００５３】
このように、図３の記述子１では、8ビットの記述子タグから、3ビットのGI(Guard Interval)までは、図１のDVB-C2の記述子と同様の情報が配置され、4ビットの外符号以降の情報が、図１のDVB-C2の記述子から拡張された部分とされる。
【００５４】
外符号は、4ビットのフィールドで、外符号の情報が規定される。変調は、8ビットのフィールドで、変調方式の情報が規定される。内符号は、4ビットのフィールドで、内符号の情報が規定される。
【００５５】
bundled channelは、8ビットのフィールドで、PLPを送るために使用するデータスライスの数が指定される。ここでは、"0"は、禁止、"2"以上ならば、PLPバンドリング(PLP bundling)の使用を意味している。DVB-C2では、CB(Channel Bonding)の１つとして、PLPバンドリングが規定されている。
【００５６】
なお、CB(Channel Bonding)とは、デジタル放送において、高データレートのストリームを伝送する技術の１つとして、送信側において、高データレートのストリームを、複数（チャンネル）の分割ストリームに分割して伝送し、受信側において、複数の分割ストリームを、元のデータレートのストリームに再構築することをいい、DVB-C2では、CBの１つとして、PLPバンドリングが規定されている。
【００５７】
ここで、bundled channelとして、"2"以上の値が指定され、PLPバンドリングを使用する場合、データスライスの数に応じてチャンネルループが繰り返され、図中の「繰り返し」の部分が有効とされる。当該「繰り返し」の部分には、Data Slice IDにより識別されるデータスライスごとに、Tune Freq、Tune Freq Type、外符号、変調、内符号を示す情報が配置される。
【００５８】
当該「繰り返し」の部分において、Tune Freqは、32ビットのフィールドで、Tune Freq Typeに基づいたチューニング周波数がHz単位で指定される。Tune Freq Typeは、2ビットのフィールドで、DVB-SI規格書に基づいたチューニング周波数の種類が定義される。外符号は、4ビットのフィールドで、外符号の情報が規定される。変調は、8ビットのフィールドで、変調方式の情報が規定される。内符号は、4ビットのフィールドで、内符号の情報が規定される。なお、「繰り返し」の部分には、6ビットのフィールドからなる将来使用のためのリザーブの領域が用意されている。
【００５９】
すなわち、PLPバンドリングを使用する場合、１個目のデータスライスに関する情報は、PLP IDの次に配置されるData Slice IDにより識別される情報として配置され、２個目以降のデータスライスに関する情報が、図中の「繰り返し」の部分に配置されることになる。なお、PLPバンドリングを使用しない場合には、図中の「繰り返し」の部分は無効とされる。
【００６０】
以上のように、図３の記述子１は、図１のDVB-C2の記述子に記述された伝送制御情報に対して、外符号や内符号の符号化方式と、変調方式を示す情報を加えて拡張したものとされる。また、図３の記述子１では、PLPバンドリングを使用する場合には、図中の「繰り返し」の部分が有効とされ、データスライスごとに、周波数や符号化方式、変調方式を示す情報が配置される。
【００６１】
（２）記述子２のデータ構造
図５は、記述子２のデータ構造を示す図である。なお、図５の説明においても、図４の各情報の意味を適宜参照しながら説明するものとする。
【００６２】
図５において、記述子２には、記述子タグ、記述子長、記述子タグ拡張、PLP ID、有効シンボル長、GI、及び、bundled channelが、その順番で配置されている。また、記述子２では、図中の「繰り返し」の部分に、Data Slice ID、Tune Freq、Tune Freq Type、外符号、変調、及び、内符号が、その順番で配置される。
【００６３】
記述子タグは、8ビットのフィールドで、当該記述子２を識別するための値が指定される。記述子長は、8ビットのフィールドで、当該記述子２の長さがバイト単位で指定される。記述子タグ拡張は、8ビットのフィールドで、同一の記述子タグだが、異なる記述子を使用するために使用する値が指定される。
【００６４】
PLP IDは、8ビットのフィールドで、PLPのIDを示す値が指定される。有効シンボル長は、3ビットのフィールドで、DVB-SI規格書に基づいたOFDMの有効シンボル長が定義される。GIは、3ビットのフィールドで、DVB-SI規格書に基づいたOFDMのガードインターバル長が定義される。
【００６５】
bundled channelは、8ビットのフィールドで、PLPを送るために使用するデータスライスの数が指定される。ここでは、"0"は、禁止、"2"以上ならば、PLPバンドリングの使用を意味している。また、bundled channelの次には、2ビットのフィールドからなる将来使用のためのリザーブ領域が用意されている。
【００６６】
ここで、bundled channelとして、"2"未満の値が指定され、PLPバンドリングを使用しない場合、図中の「繰り返し」の部分が１度だけ使用される。すなわち、当該「繰り返し」の部分には、Data Slice ID、Tune Freq、Tune Freq Type、外符号、変調、内符号を示す情報が配置される。
【００６７】
当該「繰り返し」の部分において、Data Slice IDは、8ビットのフィールドで、データスライスのIDを示す値が指定される。Tune Freqは、32ビットのフィールドで、Tune Freq Typeに基づいたチューニング周波数がHz単位で指定される。Tune Freq Typeは、2ビットのフィールドで、DVB-SI規格書に基づいたチューニング周波数の種類が定義される。外符号は、4ビットのフィールドで、外符号の情報が規定される。変調は、8ビットのフィールドで、変調方式の情報が規定される。内符号は、4ビットのフィールドで、内符号の情報が規定される。なお、「繰り返し」の部分には、6ビットのフィールドからなる将来使用のためのリザーブの領域が用意されている。
【００６８】
また、bundled channelとして、"2"以上の値が指定され、PLPバンドリングを使用する場合、データスライスの数に応じて、チャンネルループが繰り返され、図中の「繰り返し」の部分がそのループの数だけ使用される。すなわち、当該「繰り返し」の部分には、Data Slice IDにより識別されるデータスライスごとに、Tune Freq、Tune Freq Type、外符号、変調、内符号を示す情報が配置される。
【００６９】
すなわち、PLPバンドリングの使用・未使用にかかわらず、図中の「繰り返し」の部分が有効とされ、各データスライスに関する情報が配置されることになる。
【００７０】
以上のように、図５の記述子２は、図１のDVB-C2の記述子に記述された伝送制御情報に対して、外符号や内符号の符号化方式と、変調方式を示す情報を加えて拡張したものとされる。また、図５の記述子２では、PLPバンドリングの使用・未使用にかかわらず、図中の「繰り返し」の部分が有効とされるが、PLPバンドリングを使用しない場合、当該「繰り返し」の部分が１度だけ使用され、PLPバンドリングを使用する場合には、当該「繰り返し」の部分がチャンネルループの数だけ使用される。すなわち、図５の記述子２は、図３の記述子１と比べて、周波数や符号化方式、変調方式を示す情報等のデータスライスごとの情報を、図中の「繰り返し」の部分にまとめているといえる。
【００７１】
（３）記述子３のデータ構造
図６は、記述子３のデータ構造を示す図である。なお、図６の説明においても、図４の各情報の意味を適宜参照しながら説明するものとする。
【００７２】
図６において、記述子３には、記述子タグ、記述子長、記述子タグ拡張、PLP ID、有効シンボル長、GI、及び、bundled channelが、その順番で配置されている。また、記述子３では、図中の「繰り返し」の部分に、Data Slice ID、Tune Freq、及び、Tune Freq Typeがその順番で配置されている。
【００７３】
記述子タグは、8ビットのフィールドで、当該記述子３を識別するための値が指定される。記述子長は、8ビットのフィールドで、当該記述子３の長さがバイト単位で指定される。記述子タグ拡張は、8ビットのフィールドで、同一の記述子タグだが、異なる記述子を使用するために使用する値が指定される。
【００７４】
PLP IDは、8ビットのフィールドで、PLPのIDを示す値が指定される。有効シンボル長は、3ビットのフィールドで、DVB-SI規格書に基づいたOFDMの有効シンボル長が定義される。GIは、3ビットのフィールドで、DVB-SI規格書に基づいたOFDMのガードインターバル長が定義される。
【００７５】
bundled channelは、8ビットのフィールドで、PLPを送るために使用するデータスライスの数が指定される。ここでは、"0"は、禁止、"2"以上ならば、PLPバンドリングの使用を意味している。また、bundled channelの次には、2ビットのフィールドからなる将来使用のためのリザーブ領域が用意されている。
【００７６】
ここで、bundled channelとして、"2"未満の値が指定され、PLPバンドリングを使用しない場合、図中の「繰り返し」の部分が１度だけ使用される。すなわち、当該「繰り返し」の部分には、Data Slice ID、Tune Freq、Tune Freq Typeを示す情報が配置される。
【００７７】
当該「繰り返し」の部分において、Data Slice IDは、8ビットのフィールドで、データスライスのIDを示す値が指定される。Tune Freqは、32ビットのフィールドで、Tune Freq Typeに基づいたチューニング周波数がHz単位で指定される。Tune Freq Typeは、2ビットのフィールドで、DVB-SI規格書に基づいたチューニング周波数の種類が定義される。なお、「繰り返し」の部分には、6ビットのフィールドからなる将来使用のためのリザーブの領域が用意されている。
【００７８】
また、bundled channelとして、"2"以上の値が指定され、PLPバンドリングを使用する場合、データスライスの数に応じて、チャンネルループが繰り返され、図中の「繰り返し」の部分がそのループの数だけ使用される。すなわち、当該「繰り返し」の部分には、Data Slice IDにより識別されるデータスライスごとに、Tune Freq、Tune Freq Typeを示す情報が配置される。
【００７９】
すなわち、PLPバンドリングの使用・未使用にかかわらず、図中の「繰り返し」の部分が有効とされ、各データスライスに関する情報が配置されることになる。
【００８０】
以上のように、図６の記述子３では、外符号や内符号の符号化方式と、変調方式の情報の拡張は行われていない。また、図６の記述子３では、PLPバンドリングの使用・未使用にかかわらず、図中の「繰り返し」の部分が有効とされるが、PLPバンドリングを使用しない場合、当該「繰り返し」の部分が１度だけ使用され、PLPバンドリングを使用する場合には、当該「繰り返し」の部分がチャンネルループの数だけ使用される。すなわち、図６の記述子３は、図３の記述子１と比べて、周波数を示す情報等のデータスライスごとの情報を、図中の「繰り返し」の部分にまとめている。
【００８１】
（４）記述子４のデータ構造
図７は、記述子４のデータ構造を示す図である。なお、図７の説明においても、図４の各情報の意味を適宜参照しながら説明するものとする。
【００８２】
図７において、記述子４には、記述子タグ、記述子長、記述子タグ拡張、PLP ID、Data Slice ID、Tune Freq、Tune Freq Type、有効シンボル長、GI、及び、bundled channelが、その順番で配置されている。また、記述子４では、図中の「繰り返し」の部分に、Data Slice IDが配置されている。
【００８３】
記述子タグは、8ビットのフィールドで、当該記述子４を識別するための値が指定される。記述子長は、8ビットのフィールドで、当該記述子４の長さがバイト単位で指定される。記述子タグ拡張は、8ビットのフィールドで、同一の記述子タグだが、異なる記述子を使用するために使用する値が指定される。
【００８４】
PLP IDは、8ビットのフィールドで、PLPのIDを示す値が指定される。Data Slice IDは、8ビットのフィールドで、データスライスのIDを示す値が指定される。Tune Freqは、32ビットのフィールドで、Tune Freq Typeに基づいたチューニング周波数がHz単位で指定される。Tune Freq Typeは、2ビットのフィールドで、DVB-SI規格書に基づいたチューニング周波数の種類が定義される。
【００８５】
有効シンボル長は、3ビットのフィールドで、DVB-SI規格書に基づいたOFDMの有効シンボル長が定義される。GIは、3ビットのフィールドで、DVB-SI規格書に基づいたOFDMのガードインターバル長が定義される。
【００８６】
このように、図７の記述子４では、8ビットの記述子タグから、3ビットのGIまでは、図１のDVB-C2の記述子と同様の情報が配置され、8ビットのbundled channel以降の情報が、図１のDVB-C2の記述子から拡張された部分とされる。
【００８７】
bundled channelは、8ビットのフィールドで、PLPを送るために使用するデータスライスの数が指定される。ここでは、"0"は、禁止、"2"以上ならば、PLPバンドリングの使用を意味している。ここで、bundled channelとして、"2"以上の値が指定され、PLPバンドリングを使用する場合、データスライスの数に応じてチャンネルループが繰り返され、図中の「繰り返し」の部分が有効とされる。当該「繰り返し」の部分には、Data Slice IDを示す情報が配置される。
【００８８】
ここで、当該「繰り返し」の部分においては、Data Slice IDのみが配置されているが、L1 signalling part2と呼ばれる伝送制御情報の伝送に用いられる信号（以下、「L1信号」という。）を参照して、当該Data Slice IDに対応する、データスライスごとのTune Freqと、Tune Freq Typeを取得することができる。すなわち、データスライスごとのTune Freq、Tune Freq typeは、Data Slice IDを用いて、L1信号を参照することで取得される。
【００８９】
以上のように、図７の記述子４は、図１のDVB-C2の記述子に記述された伝送制御情報に対して、わずかに拡張したものとされる。また、図７の記述子４では、外符号や内符号の符号化方式と、変調方式の情報の拡張は行われてない。さらに、図７の記述子４では、データスライスごとのTune Freq、Tune Freq typeは、L1信号を参照して取得できることから、極力情報を省くために、図中の「繰り返し」の部分には、Data Slice IDのみを配置している。
【００９０】
次に、図８乃至図１８を参照して、本技術を適用した記述子１乃至記述子４に配置される情報の詳細な内容について説明する。
【００９１】
（Tune Freq Typeの例）
図８は、Tune Freq Typeの例を示す図である。なお、図８のTune Freq Typeは、DVB-SI規格書に規定されている。
【００９２】
図８に示すように、上述した記述子において、2ビットのTune Freq Typeには、"00"，"01"，"10"が指定される。Tune Freq Typeとして、"00"が指定された場合、Tune Freqの示す周波数は、データスライスのチューニング周波数とされる。また、Tune Freq Typeとして、"01"が指定された場合、Tune Freqの示す周波数は、C2 systemの中心周波数とされる。さらに、Tune Freq Typeとして、"10"が指定された場合、Tune Freqの示す周波数は、静的なデータスライスのための初期チューニング位置とされる。なお、"11"は、将来使用のためのリザーブとされる。
【００９３】
（OFDMの有効シンボル長の例）
図９は、OFDMの有効シンボル長の例を示す図である。なお、図９の有効シンボル長は、DVB-SI規格書に規定されている。
【００９４】
図９に示すように、上述した記述子において、3ビットの有効シンボル長には、"000"，"001"が指定される。"000"が指定された場合、その有効シンボル長は、"448μs"とされる。また、"001"が指定された場合、その有効シンボル長は、"597,33μs"とされる。なお、"010"〜"111"は、将来使用のためのリザーブとされる。
【００９５】
（OFDMのガードインターバル長の例）
図１０は、OFDMのガードインターバル長の例を示す図である。なお、図１０のガードインターバル長は、DVB-SI規格書に規定されている。
【００９６】
図１０に示すように、上述した記述子において、3ビットのGI(Guard Interval)には、"000"，"001"が指定される。"000"が指定された場合、そのガードインターバル長は、"1/128"とされる。また、"001"が指定された場合、そのガードインターバル長は、"1/64"とされる。なお、"010"〜"111"は、将来使用のためのリザーブとされる。
【００９７】
（外符号の情報の例）
図１１は、外符号の情報の例を示す図である。なお、図１１の外符号の情報では、既存の外符号の情報に対して、図中の斜線で示した高度ケーブルデジタル放送方式の外符号の情報を新たに定義している。
【００９８】
図１１に示すように、上述した記述子において、4ビットの外符号には、"0000"，"0001"，"0010"，"0011"が指定される。なお、"0100"〜"1111"は、将来使用のためのリザーブとされる。"0000"は未定義とされる。また、"0001"が指定された場合には、外符号はないことを意味する。
【００９９】
"0010"が指定された場合、その外符号は、RS(204,188)符号とされる。また、"0011"が指定された場合、その外符号は、高度ケーブルデジタル放送方式であることを意味している。この場合、外符号は、L1信号を参照することで取得される。
【０１００】
（変調方式の情報の例）
図１２は、変調方式の情報の例を示す図である。なお、図１２の変調方式の情報では、既存の変調方式の情報に対して、図中の斜線で示した高度ケーブルデジタル放送方式の変調方式の情報を新たに定義している。
【０１０１】
図１２に示すように、上述した記述子において、8ビットの変調には、"0x00"，"0x01"，"0x02"，"0x03"，"0x04"，"0x05"，"0x07"，"0x80"が指定される。なお、"0x06"，"0x08"〜"0x79"，"0x81"〜"0xFF"は、将来使用のためのリザーブとされる。"0x00"は未定義とされる。
【０１０２】
"0x01"が指定された場合、その変調方式は、16QAM(Quadrature Amplitude Modulation)とされる。また、"0x02"が指定された場合、その変調方式は、32QAMとされる。さらに、"0x03"が指定された場合、その変調方式は、64QAMとされる。
【０１０３】
"0x04"が指定された場合、その変調方式は、128QAMとされる。また、"0x05"が指定された場合、その変調方式は、256QAMとされる。さらに、"0x07"が指定された場合、その変調方式は、1024QAMとされる。
【０１０４】
"0x80"が指定された場合、その変調方式は、高度ケーブルデジタル放送方式であることを意味している。この場合、変調方式は、L1信号を参照することで取得される。
【０１０５】
（内符号の情報の例）
図１３は、内符号の情報の例を示す図である。なお、図１３の内符号の情報では、既存の内符号の情報に対して、図中の斜線で示した高度ケーブルデジタル放送方式の内符号の情報を新たに定義している。
【０１０６】
図１３に示すように、上述した記述子において、4ビットの内符号には、"0000"，"0001"，"0010"，"0011"，"0100"，"0101"，"1000"，"0101"，"1111"が指定される。なお、"0110"〜"0111"，"1010"〜"1110"は、将来使用のためのリザーブとされる。"0000"は未定義とされる。また、"1111"が指定された場合には、内符号はないことを意味する。
【０１０７】
"0001"が指定された場合、その内符号は、符号化率1/2とされる。また、"0010"が指定された場合、その内符号は、符号化率2/3とされる。さらに、"0011"が指定された場合、その内符号は、符号化率3/4とされる。
【０１０８】
"0100"が指定された場合、その内符号は、符号化率5/6とされる。また、"0101"が指定された場合、その内符号は、符号化率7/8とされる。さらに、"1000"が指定された場合、その内符号は、ISDB-S方式であることを意味している。この場合、内符号は、TMCC信号を参照することで取得される。
【０１０９】
"1001"が指定された場合、その内符号は、高度ケーブルデジタル放送方式であることを意味している。この場合、内符号は、L1信号を参照することで取得される。
【０１１０】
ところで、上述した外符号の情報（図１１）、変調方式の情報（図１２）、及び、内符号の情報（図１３）では、高度ケーブルデジタル放送方式である場合に、L1信号を参照して、情報を取得する例を示したが、具体的な情報を定義するようにしてもよい。そこで、以下、外符号の情報、変調方式の情報、及び、内符号の情報について、高度ケーブルデジタル放送方式である場合に、具体的な情報を定義した場合について説明する。
【０１１１】
（外符号の情報の他の例）
図１４は、外符号の情報の他の例を示す図である。なお、図１４の外符号の情報では、既存の外符号の情報に対して、図中の斜線で示した高度ケーブルデジタル放送方式の外符号の情報を新たに定義している。
【０１１２】
図１４に示すように、上述した記述子において、4ビットの外符号には、"0000"，"0001"，"0010"，"0011"が指定される。なお、"0100"〜"1111"は、将来使用のためのリザーブとされる。"0000"は未定義とされる。また、"0001"が指定された場合には、外符号はないことを意味する。
【０１１３】
"0010"が指定された場合、その外符号は、RS(204,188)符号とされる。また、"0011"が指定された場合、その外符号は、BCH符号とされる。すなわち、高度ケーブルデジタル放送方式である場合に、L1信号を参照するのではなく、図１４の外符号の情報によって、例えば、外符号がBCH符号であることを示す情報を取得することができる。
【０１１４】
（変調方式の情報の他の例）
図１５は、変調方式の情報の他の例を示す図である。なお、図１５の変調方式の情報では、既存の変調方式の情報に対して、図中の斜線で示した高度ケーブルデジタル放送方式の変調方式の情報を新たに定義している。
【０１１５】
図１５に示すように、上述した記述子において、8ビットの変調には、"0x00"，"0x01"，"0x02"，"0x03"，"0x04"，"0x05"，"0x07"，"0x09"が指定される。なお、"0x06"，"0x08"，"0x0A"〜"0xFF"は、将来使用のためのリザーブとされる。"0x00"は未定義とされる。
【０１１６】
"0x01"が指定された場合、その変調方式は、16QAMとされる。また、"0x02"が指定された場合、その変調方式は、32QAMとされる。さらに、"0x03"が指定された場合、その変調方式は、64QAMとされる。
【０１１７】
"0x04"が指定された場合、その変調方式は、128QAMとされる。また、"0x05"が指定された場合、その変調方式は、256QAMとされる。さらに、"0x07"が指定された場合、その変調方式は、1024QAMとされる。
【０１１８】
"0x09"が指定された場合、その変調方式は、4096QAMとされる。すなわち、高度ケーブルデジタル放送方式である場合に、L1信号を参照するのではなく、図１５の変調方式の情報によって、例えば、変調方式が4096QAMであることを示す情報を取得することができる。
【０１１９】
（内符号の情報の他の例）
図１６は、内符号の情報の他の例を示す図である。なお、図１６の内符号の情報では、既存の内符号の情報に対して、図中の斜線で示した高度ケーブルデジタル放送方式の内符号の情報を新たに定義している。
【０１２０】
図１６において、上述した記述子において、4ビットの内符号には、"0000"，"0001"，"0010"，"0011"，"0100"，"0101"，"1000"，"1001"，"1010"，"1011"，"1100"，"1101"，"1111"が指定される。なお、"0110"〜"0111"，"1010"〜"1110"は、将来使用のためのリザーブとされる。"0000"は未定義とされる。また、"1111"が指定された場合には、内符号はないことを意味する。
【０１２１】
"0001"が指定された場合、その内符号は、符号化率1/2とされる。また、"0010"が指定された場合、その内符号は、符号化率2/3とされる。さらに、"0011"が指定された場合、その内符号は、符号化率3/4とされる。
【０１２２】
"0100"が指定された場合、その内符号は、符号化率5/6とされる。また、"0101"が指定された場合、その内符号は、符号化率7/8とされる。さらに、"1000"が指定された場合、その内符号は、高帯域衛星デジタル放送方式であることを意味している。この場合、内符号は、TMCC信号を参照することで取得される。
【０１２３】
"1001"が指定された場合、その内符号は、LDPC符号で、符号化率R=2/3とされる。また、"1010"が指定された場合、その内符号は、LDPC符号で、符号化率R=3/4とされる。さらに、"1011"が指定された場合、その内符号は、LDPC符号で、符号化率R=4/5とされる。"1100"が指定された場合、その内符号は、LDPC符号で、符号化率R=5/6とされる。また、"1101"が指定された場合、その内符号は、LDPC符号で、符号化率R=9/10とされる。
【０１２４】
すなわち、高度ケーブルデジタル放送方式である場合に、L1信号を参照するのではなく、図１６の変調方式の情報によって、例えば、内符号が、LDPC符号で、かつ、符号化率R=2/3（3/4，4/5，5/6，9/10）であることを示す情報を取得することができる。
【０１２５】
ところで、上述した内符号の情報（図１３，図１６）で、既存の内符号の情報に対して、高度ケーブルデジタル放送方式の内符号の情報を追加する例を示したが、既存の内符号の情報としては、上述した内符号の情報（図１３，図１６）以外の他の内符号の情報が存在している。そこで、以下、既存の他の内符号の情報に対して、高度ケーブルデジタル放送方式の内符号の情報を追加する場合について説明する。
【０１２６】
（内符号の情報のさらに他の例）
図１７は、内符号の情報のさらに他の例を示す図である。なお、図１７の内符号の情報では、既存の他の内符号の情報に対して、図中の斜線で示した高度ケーブルデジタル放送方式の内符号の情報を新たに定義している。
【０１２７】
図１７に示すように、上述した記述子において、4ビットの内符号には、"0000"，"0001"，"0010"，"0011"，"0100"，"0101"，"1000"，"1001"，"1010"，"1011"，"1100"，"1111"が指定される。なお、"0110"〜"0111"，"1101"〜"1110"は、将来使用のためのリザーブとされる。"0000"は未定義とされる。また、"1111"が指定された場合には、内符号はないことを意味する。
【０１２８】
"0001"が指定された場合、その内符号は、符号化率1/2とされる。また、"0010"が指定された場合、その内符号は、符号化率2/3とされる。さらに、"0011"が指定された場合、その内符号は、符号化率3/4とされる。"0100"が指定された場合、その内符号は、符号化率5/6とされる。また、"0101"が指定された場合、その内符号は、符号化率7/8とされる。
【０１２９】
"1000"が指定された場合、その内符号は、高帯域衛星デジタル放送方式であることを意味している。この場合、内符号は、TMCC信号を参照することで取得される。また、"1001"が指定された場合、その内符号は、2.6GHz帯衛星デジタル方式であることを意味している。この場合、内符号は、パイロットチャンネルを参照することで取得される。
【０１３０】
"1010"が指定された場合、その内符号は、高度狭帯域CSデジタル放送方式であることを意味している。この場合、内符号は、フィジカルレイヤヘッダを参照することで取得される。また、"1011"が指定された場合、その内符号は、高度高帯域衛星デジタル放送方式であることを意味している。この場合、内符号は、TMCC信号を参照することで取得される。
【０１３１】
"1100"が指定された場合、その内符号は、高度ケーブルデジタル放送方式であることを意味している。この場合、内符号は、L1信号を参照することで取得される。
【０１３２】
なお、上述した場合と同様に、高度ケーブルデジタル放送方式である場合に、L1信号を参照して、情報を取得するに限らず、内符号の情報に具体的な情報を定義してもよい。そこで、次に、内符号の情報について、高度ケーブルデジタル放送方式である場合に、具体的な情報を定義した場合について説明する。
【０１３３】
図１８は、内符号の情報のさらに他の例を示す図である。なお、図１７の内符号の情報では、既存の他の内符号の情報に対して、図中の斜線で示した高度ケーブルデジタル放送方式の内符号の情報を新たに定義している。
【０１３４】
図１８に示すように、上述した記述子において、4ビットの内符号には、"0000"，"0001"，"0010"，"0011"，"0100"，"0101"，"0110"，"0111"，"1000"，"1001"，"1010"，"1011"，"1100"，"1101"，"1110"，"1111"が指定される。"0000"は未定義とされる。また、"1111"が指定された場合には、内符号はないことを意味する。
【０１３５】
"0001"が指定された場合、その内符号は、符号化率1/2とされる。また、"0010"が指定された場合、その内符号は、符号化率2/3とされる。さらに、"0011"が指定された場合、その内符号は、符号化率3/4とされる。"0100"が指定された場合、その内符号は、符号化率5/6とされる。また、"0101"が指定された場合、その内符号は、符号化率7/8とされる。
【０１３６】
"0110"が指定された場合、その内符号は、LDPC符号で、符号化率R=2/3とされる。また、"0111"が指定された場合、その内符号は、LDPC符号で、符号化率R=3/4とされる。
【０１３７】
"1000"が指定された場合、その内符号は、高帯域衛星デジタル放送方式であることを意味している。この場合、内符号は、TMCC信号を参照することで取得される。また、"1001"が指定された場合、その内符号は、2.6GHz帯衛星デジタル方式であることを意味している。この場合、内符号は、パイロットチャンネルを参照することで取得される。
【０１３８】
"1010"が指定された場合、その内符号は、高度狭帯域CSデジタル放送方式であることを意味している。この場合、内符号は、フィジカルレイヤヘッダを参照することで取得される。また、"1011"が指定された場合、その内符号は、高度高帯域衛星デジタル放送方式であることを意味している。この場合、内符号は、TMCC信号を参照することで取得される。
【０１３９】
"1100"が指定された場合、その内符号は、LDPC符号で、符号化率R=4/5とされる。また、"1101"が指定された場合、その内符号は、LDPC符号で、符号化率R=5/6とされる。さらに、"1110"が指定された場合、その内符号は、LDPC符号で、符号化率R=9/10とされる。
【０１４０】
なお、上述した記述子１乃至記述子４に配置される情報に定義されたビットとその意味は一例であって、他の定義を採用することができる。
【０１４１】
＜３．システム構成＞
【０１４２】
（伝送システムの構成例）
図１９は、本技術を適用した伝送システムの一実施の形態の構成を示す図である。なお、システムとは、複数の装置が論理的に集合した物をいい、各構成の装置が同一筐体中にあるか、否かは問わない。
【０１４３】
図１９において、伝送システム１は、送信装置１０と受信装置２０から構成される。
【０１４４】
送信装置１０は、例えば、テレビジョン放送の番組等の送信（デジタル放送やデータ伝送）を行う。すなわち、送信装置１０は、例えば、番組としてのビデオデータやオーディオデータなどの送信の対象である対象データのストリームを、例えば、ケーブルテレビジョン網（有線回線）である伝送路３０を介して送信（伝送）する。
【０１４５】
受信装置２０は、送信装置１０から伝送路３０を介して送信されてくるデータを受信し、元のストリームに復元して出力する。
【０１４６】
なお、図１９の伝送システム１は、DVB-C2の規格に準拠したデータ伝送の他、DVB-T2やDVB-S2，ATSC(Advanced Television Systems Committee standards)等の規格に準拠したデータ伝送、その他のデータ伝送に適用することができる。また、伝送路３０としては、ケーブルテレビジョン網の他、衛星回線や地上波等を採用することができる。
【０１４７】
（送信装置の第１の構成例）
図２０は、図１９の送信装置１０の第１の構成例を示す図である。
【０１４８】
図２０において、送信装置１０は、データ取得部１１１、データスライス処理部１１２−１乃至１１２−Ｎ（Ｎは１以上の整数）、フレーム構成部１１３、及び、送信部１１４から構成される。
【０１４９】
データ取得部１１１は、例えば、TS(Transport Stream)等の対象データとしての実データ（のストリーム）を取得し、データスライス処理部１１２−１乃至１１２−Ｎに供給する。
【０１５０】
データスライス処理部１１２−Ｎは、データ取得部１１１から供給される実データを処理することで、ｎ番目のデータスライスDS#n-1を生成し、フレーム構成部１１３に供給する。なお、データスライスDSには、Data Slice IDが付与される。
【０１５１】
具体的には、データスライス処理部１１２−１は、PLP処理部１２１−１乃至１２１−Ｍ（Ｍは１以上の整数）、及び、データスライス構成部１２２を有している。PLP処理部１２１−Ｍは、あるPLPとしての実データを処理することで、そのPLPのデータスライスパケットを生成し、データスライス構成部に供給する。ここで、PLPは、データスライスに含まれる論理的なチャンネル（で伝送されるデータ）であり、PLPには、PLPを識別するためのPLP IDが付与される。あるPLP IDのPLPは、例えば、ある番組の実データに相当する。以下、PLP IDがiのPLPを、PLP#iとも記述する。
【０１５２】
PLP処理部１２１−Ｍでは、そこに供給される実データの所定の単位（例えば、所定数のTSパケット）に、BB(Baseband)ヘッダを付加すること等によって、BBフレームを構成し、そのBBフレームを対象として、BCH符号化、及び、LDPC符号化の誤り訂正符号化を行う。また、PLP処理部１２１−Ｍでは、誤り訂正符号化の結果得られるFECフレームを、所定のビット数であるシンボル単位で、所定のデジタル直交変調の変調方式で定めるコンスタレーション上の信号点にマッピングする。さらに、PLP処理部１２１−Ｍでは、マッピング結果としてのシンボルを、FECフレーム単位で処理して、FECフレームヘッダを付加することで、データスライスパケットを構成し、データスライス構成部１２２に供給する。
【０１５３】
データスライス構成部１２２は、PLP処理部１２１−１乃至１２１−Ｍからのデータスライスパケットから、データスライス（DS#n-1）を構成し、フレーム構成部１１３に供給する。ここで、データスライスは、PLPを伝送するOFDMセルの集まりであって、OFDMセルは、OFDMのサブキャリアで伝送されるデータである。なお、図示は省略しているが、データスライスは、時間方向と周波数方向にインターリーブされてから、フレーム構成部１１３に供給される。
【０１５４】
フレーム構成部１１３は、データスライス処理部１１２−１乃至１１２−Ｎから供給される１個以上のデータスライスを含むC2フレームを構成し、送信部１１４に供給する。
【０１５５】
送信部１１４は、フレーム構成部１１３から供給されるC2フレームのIFFT(Inverse Fast Fourier Transform)を行い、その結果得られるOFDM信号を、DA変換(Digital to Analog Conversion)する。そして、送信部１１４は、デジタル信号からアナログ信号に変換されたOFDM信号を、RF(Radio Frequency)信号に変調し、伝送路３０を介して送信する。
【０１５６】
（受信装置の第１の構成例）
図２１は、図１９の受信装置２０の第１の構成を示す図である。
【０１５７】
図２１において、受信装置２０は、制御部２１１、受信部２１２、フレーム分解部２１３、及び、データ処理部２１４から構成される。
【０１５８】
制御部２１１は、受信装置２０の各部の動作を制御する。
【０１５９】
受信部２１２は、送信装置１０から伝送路３０を介して送信されてくる所定の帯域のRF信号を受信して復調し、その結果得られる復調信号（OFDM信号）を、AD変換(Analog to Digital Conversion)する。そして、受信部２１２は、アナログ信号からデジタル信号に変換された復調信号のFFT(Fast Fourier Transform)を行い、その結果得られるC2フレーム（の信号）を、フレーム分解部２１３に供給する。
【０１６０】
フレーム分解部２１３は、受信部２１２から供給されるC2フレームを分解することにより、そのC2フレームに含まれるデータスライスを抽出し、データ処理部２１４に供給する。
【０１６１】
データ処理部２１４は、フレーム分解部２１３から供給されるデータスライスを、データスライスパケットに分解し、FECフレームヘッダを除去することで、データスライスパケットを、FECフレームに分解する。また、データ処理部２１４は、FECフレーム（のシンボル）のデマッピングを行い、デマッピング後のFECフレームに対し、誤り訂正の復号を行うことで、BB(Baseband)フレームを復元する。そして、データ処理部２１４は、BBフレームを分解し、実データ（のストリーム）を復元して出力する。
【０１６２】
（送信装置の第２の構成例）
図２２は、図１９の送信装置１０の第２の構成例を示す図である。なお、図２２において、図２０の第１の構成例と対応する部分については、同一の符号を付してあり、その説明は、適宜省略する。
【０１６３】
ここで、第１の構成例の送信装置１０（図２０）では、ある実データに相当する１のPLP#iは、ある１のデータスライスDS#n-1で伝送される。一方、第２の構成例の送信装置１０（図２２）では、CBの１つであるPLPバンドリングにより、１のPLP#i（同一のPLP IDが付与されるPLP）としての実データを、BBフレーム単位で分割し、複数のデータスライスで伝送することができるようになっている。なお、図２２では、PLPバンドリングに関係がないブロックについては、適宜、図示を省略している。
【０１６４】
図２２において、送信装置１０は、データ取得部１１１、データスライス処理部１１２−１乃至１１２−Ｎ、フレーム構成部１１３、及び、送信部１１４を有し、かかる点で、図２０の第１の構成例と共通している。ただし、図２２の送信装置１０は、データ取得部１１１が新たに設けられ、さらに、データスライス処理部１１２−Ｎが、PLP処理部１２１−１乃至１２１−Ｍに代えて、PLP処理部１２５を有する点で、図２０の第１の構成例と相違している。
【０１６５】
PLP処理部１２５は、PLP処理部１２１−Ｍ（図２０）と比べて、BBフレームを構成する処理を行わない点が異なっている。すなわち、PLP処理部１２５は、FECフレームのマッピング等を行い、データスライスパケットを構成し、データスライス構成部１２２に供給する。
【０１６６】
図２２において、送信装置１０は、PLPバンドリングにより、１のPLP#iとしての実データ（のストリーム）を、BBフレーム単位で分割し、複数のデータスライスとしての、例えば、３のデータスライスで伝送する。なお、PLPバンドリングにおいて、１のPLP#iの伝送に用いるデータスライスの数は、３に限定されるものではなく、２又は４以上の任意の値を採用することができる。
【０１６７】
また、PLPバンドリングに用いる３のデータスライスとしては、Ｎ個のデータスライス処理部１１２−１乃至１１２−Ｎのうちの任意の３個で生成されるデータスライスを採用することができる。図２２では、データスライス処理部１１２−１乃至１１２−３で生成されるデータスライスDS#0，DS#1，DS#2が、PLPバンドリングに用いる３のデータスライスとして採用されている。
【０１６８】
図２２の送信装置１０では、１のPLP#iを、３のデータスライスDS#0乃至DS#2で伝送するため、データ処理部１３１が、同一のPLP IDのPLP#iとしての実データを、その実データの伝送に用いるデータスライスDS#0乃至DS#2の数である３個の分割ストリームに分割する。すなわち、データ処理部１３１には、データ取得部１１１から、同一のPLP IDのPLP#iとしての実データが供給される。
【０１６９】
データ処理部１３１は、PLP処理部１２１−Ｍ（図２０）で行われる一部の処理と同様に、そこに供給される実データに、BBヘッダを付加すること等によって、BBフレームを構成する。さらに、データ処理部１３１は、BBフレームのストリームであるBBストリームを、分割の対象として、そのBBストリームを構成する各BBフレームを、３のデータスライスDS#0乃至DS#2のうちのいずれか１つのデータスライスDS#n-1に分配することを繰り返すことで、BBストリームを、BBフレーム単位で、複数としての３本の分割ストリームに分割する。
【０１７０】
データ処理部１３１は、データスライスDS#n-1に分配したBBフレームから構成される分割ストリームをデータスライス処理部１１２−Ｎに供給する。
【０１７１】
ここで、DVB-C2では、PLPを処理するモードとして、NM(Normal Mode)と、HEM(High Efficiency Mode)とがある。PLPバンドリングを行う場合、PLPを処理するモードとしては、HEMモードが採用される。HEMモードでは、BBヘッダに、ISSY(Input Stream Synchroniser)が含められる。ISSYは、データ（BBフレーム）の送信時刻等に関連する時刻関連情報であり、データ処理部１３１は、ISSYを生成し、そのISSYを含むBBヘッダを生成して、そのBBヘッダを有するBBフレームを構成する。
【０１７２】
データスライス構成部１２２は、PLP処理部１２５からの１個以上のデータスライスパケットから、データスライスを構成し、フレーム構成部１１３に供給する。なお、図示は省略しているが、データスライスは、時間方向と周波数方向にインターリーブされてから、フレーム構成部１１３に供給される。
【０１７３】
ここで、図２２のデータスライス処理部１１２−１乃至１１２−３において、データ処理部１３１からの分割ストリームから構成されるPLPは、同一のPLP IDである。したがって、図２２のデータスライス処理部１１２−１乃至１１２−３で構成されるデータスライスDS#0乃至DS#2には、同一のPLP IDのPLPが含まれる。
【０１７４】
フレーム構成部１１３は、データスライス処理部１１２−１乃至１１２−Ｎから供給される１個以上のデータスライスを含むC2フレームを構成し、送信部１１４に供給する。
【０１７５】
送信部１１４は、フレーム構成部１１３から供給されるC2フレームのIFFTを行い、その結果得られるOFDM信号を、DA変換する。そして、送信部１１４は、デジタル信号からアナログ信号に変換されたOFDM信号を、RF信号に変調し、伝送路３０を介して送信する。
【０１７６】
（受信装置の第２の構成例）
図２３は、図１９の受信装置２０の第２の構成を示す図である。なお、図２３において、図２１の第１の構成例と対応する部分については、同一の符号を付してあり、その説明は、適宜省略する。また、図２３の受信装置２０では、上述した図２２で説明したように、PLPバンドリングにより、PLPが３のデータスライスに分配されて送信されてくる実データを再構成することができる。
【０１７７】
図２３において、受信装置２０は、制御部２１１、受信部２１２、フレーム分解部２１３、及び、データ処理部２１４を有し、かかる点で、図２１の第１の構成例と共通する。ただし、図２３の受信装置２０は、データスライス処理部２３１−１乃至２３１−Ｎ（Ｎは１以上の整数）と、バッファ２３２−１乃至２３２−Ｎ（Ｎは１以上の整数）が新たに設けられている点で、図２１の第１の構成例と相違している。
【０１７８】
図２３において、フレーム分解部２１３は、受信部２１２から供給されるC2フレームを分解することにより、そのC2フレームに含まれる、PLPバンドリングで送信されてきた、同一のPLP IDのPLPを含む、例えば、３のデータスライスDS#0乃至DS#2を抽出する。フレーム分解部２１３は、データスライスDS#n-1を、データスライス処理部２３１−Ｎに供給する。
【０１７９】
データスライス処理部２３１−Ｎでは、フレーム分解部２１３から供給されるデータスライスDS#n-1に対し、処理を行うことで、BBフレームで構成される分割ストリームが復元される。データスライスDS#n-1から復元された分割ストリームは、データスライス処理部２３１−Ｎからバッファ２３２−Ｎに供給される。
【０１８０】
バッファ２３２−Ｎは、例えば、FIFO(First In First Out)メモリで構成され、データスライス処理部２３１−Ｎから供給される分割ストリーム（を構成するBBフレーム）を順次記憶する。
【０１８１】
データ処理部２１４は、例えば、バッファ２３２−１乃至２３２−３に記憶された３本の分割ストリームを構成するBBフレームのBBヘッダに含まれるISSY(ISCR)に基づいて、元のBBストリームを構成するBBフレームの並び順に、バッファ２３２−Ｎから、BBフレームを読み出すことで、BBフレームを並び替えて、元のBBストリームを再構成する。さらに、データ処理部２１４は、元のBBストリームを構成するBBフレームを分解し、実データ（のストリーム）を復元して出力する。
【０１８２】
以上のように、受信装置２０では、データ処理部２１４において、３本の分割ストリームを構成するBBフレームのBBヘッダに含まれるISSYに基づいて、BBフレームの並び替えを行うために、分割ストリームを構成するBBフレームが、バッファ２３２−Ｎに記憶される。そして、バッファ２３２−Ｎに記憶された分割ストリームを構成するBBフレームは、元のBBストリームにおける並び順のタイミングまで、バッファ２３２−Ｎに記憶され、元のBBストリームにおける並び順のタイミングになると、バッファ２３２−Ｎから読み出される。
【０１８３】
＜４．各装置で実行される処理の流れ＞
【０１８４】
（送信処理の流れ）
まず、図２４のフローチャートを参照して、図２０又は図２２の送信装置１０により実行される、送信処理について説明する。
【０１８５】
ステップＳ１１１において、図２０又は図２２の送信装置１０のデータ取得部１１１は、TS等の対象データとしての実データ（のストリーム）を取得する。なお、データ取得部１１１は、上述した記述子１乃至記述子４のうち、いずれかの記述子を生成し、実データに含めることができる。
【０１８６】
ステップＳ１１２においては、PLPバンドリングで伝送するかどうかが判定される。ステップＳ１１２において、PLPバンドリングで伝送しないと判定された場合、処理は、ステップＳ１１３に進められる。
【０１８７】
ステップＳ１１３において、図２０の送信装置１０は、実データを処理することで、データスライスを生成し、当該データスライスを含むC2フレームを構成する。そして、図２０の送信装置１０は、C2フレームを処理することで得られるOFDM信号を、RF信号に変調して、伝送路３０を介して送信する。これにより、デジタルケーブルテレビ放送の放送信号が送信されることになる。
【０１８８】
一方、ステップＳ１１２において、PLPバンドリングで伝送すると判定された場合、処理は、ステップＳ１１４に進められる。
【０１８９】
ステップＳ１１４において、図２２の送信装置１０は、実データを処理することで、実データを、その実データの伝送に用いるデータスライスの数に応じて分割ストリームに分割し、データスライスを含むC2フレームを構成する。そして、図２２の送信装置１０は、C2フレームを処理することで得られるOFDM信号を、RF信号に変調して、伝送路３０を介して送信する。これにより、PLPバンドリングによって、デジタルケーブルテレビ放送の放送信号が送信されることになる。
【０１９０】
ステップＳ１１３、又は、ステップＳ１１４の処理が終了すると、図２４の送信処理は終了する。以上、送信処理について説明した。なお、図２４においては、説明の都合上、図２０の送信装置１０と、図２２の送信装置１０は、別の装置であるとして説明したが、それらの送信装置１０を１つの送信装置として捉えて、当該送信装置が、PLPバンドリングの使用・未使用の両方に対応できるようにしてもよい。
【０１９１】
（受信処理の流れ）
次に、図２５のフローチャートを参照して、図２１又は図２３の受信装置２０により実行される、受信処理について説明する。
【０１９２】
ステップＳ２１１において、図２１又は図２３の受信装置２０の受信部２１２は、制御部２１１の制御に従い、送信装置１０から伝送路３０を介して送信される、デジタルケーブルテレビ放送の放送信号を受信する。
【０１９３】
ステップＳ２１２においては、PLPバンドリングで伝送されているかどうかが判定される。ステップＳ２１２において、PLPバンドリングで伝送されていないと判定された場合、処理は、ステップＳ２１３に進められる。
【０１９４】
ステップＳ２１３において、図２１の受信装置２０は、RF信号を受信して復調し、その結果得られるC2フレームを分解することで、データスライスを抽出する。そして、図２１の受信装置２０は、データスライスを用い、実データ（のストリーム）を復元して出力する。その際、制御部２１１は、上述した記述子１乃至記述子４のうちのいずれかの記述子に基づいて、各部の動作を制御して、伝送路３０を介してデジタルケーブルテレビ放送の放送信号で伝送されるデータの受信を制御する。
【０１９５】
一方、ステップＳ２１２において、PLPバンドリングで伝送されていると判定された場合、処理は、ステップＳ２１４に進められる。
【０１９６】
ステップＳ２１４において、図２３の受信装置２０は、RF信号を受信して復調し、その結果得られるC2フレームを分解することで、PLPバンドリングで送信されてきたデータスライスを抽出する。そして、図２３の受信装置２０は、データスライスに対して処理を行うことで、複数の分割ストリームを取得して、実データ（のストリーム）を復元して出力する。その際、制御部２１１は、上述した記述子１乃至記述子４のうちのいずれかの記述子に基づいて、各部の動作を制御して、伝送路３０を介してデジタルケーブルテレビ放送の放送信号で伝送されるデータの受信を制御する。
【０１９７】
ステップＳ２１３、又は、ステップＳ２１４の処理が終了すると、図２５の受信処理は終了する。以上、受信処理について説明した。なお、図２５においては、図２１の受信装置２０と、図２３の受信装置２０は、別の装置であるとして説明したが、それらの受信装置２０を１つの受信装置として捉えて、当該受信装置が、PLPバンドリングの使用・未使用の両方に対応できるようにしてもよい。
【０１９８】
＜５．コンピュータの構成＞
【０１９９】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２６は、上述した一連の処理をプログラムにより実行するコンピュータのハードウェアの構成例を示す図である。
【０２００】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０２０１】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０２０２】
以上のように構成されるコンピュータ９００では、CPU９０１が、ROM９０２や記録部９０８に記憶されているプログラムを、入出力インターフェース９０５及びバス９０４を介して、RAM９０３にロードして実行することにより、上述した一連の処理が行われる。
【０２０３】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０２０４】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０２０５】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２０６】
なお、本技術の実施の形態は、上述した実施の形態に限定されるものではなく、本技術の要旨を逸脱しない範囲において種々の変更が可能である。
【０２０７】
また、本技術は、以下のような構成をとることができる。
【０２０８】
（１）
デジタルケーブルテレビ放送の規格に準拠したデジタル放送信号を受信する受信部と、
前記デジタル放送信号で伝送されるDVB-C2(Digital Video Broadcasting - Cable second generation)の規格に準拠した第１の記述子に含まれる伝送制御情報を少なくとも含む第２の記述子に基づいて、前記デジタル放送信号で伝送されるデータの受信を制御する制御部と
を備える受信装置。
（２）
前記伝送制御情報には、チューニング周波数を示す情報と、PLP(Physical Layer Pipe)を識別するPLP IDが含まれる
（１）に記載の受信装置。
（３）
前記伝送制御情報には、記述子タグ、記述子長、同一の記述子タグであるが異なる記述子を使用するために使用する値が指定される記述子タグ拡張、データスライスを識別するデータスライスID、前記チューニング周波数の種類、OFDM(Orthogonal Frequency Division Multiplexing)の有効シンボル長、及び、OFDMのガードインターバルを示す情報がさらに含まれる
（２）に記載の受信装置。
（４）
前記第２の記述子は、PLPを伝送するために使用するデータスライスの数が指定されるバンドルドチャンネルを含む
（３）に記載の受信装置。
（５）
前記バンドルドチャンネルにより指定されるデータスライスの数に応じて、送信側において、高データレートのストリームを、複数の分割ストリームに分割して伝送し、受信側において、複数の分割ストリームを、元のデータレートのストリームに再構築するPLPバンドリングの使用の有無が指定される
（４）に記載の受信装置。
（６）
前記第２の記述子は、前記バンドルドチャンネルにより指定されるデータスライスの数に応じて、データスライスごとの情報が配置される
（５）に記載の受信装置。
（７）
前記第２の記述子は、符号化方式、及び、変調方式を示す情報をさらに含む
（４）乃至（６）のいずれか一項に記載の受信装置。
（８）
前記符号化方式、及び、前記変調方式を示す情報は、特定の符号化方式と特定の変調方式が指定されたL1信号の参照を指示する
（７）に記載の受信装置。
（９）
前記符号化方式を示す情報には、特定の符号化方式が指示され、
前記変調方式を示す情報には、特定の変調方式が指示される
（７）に記載の受信装置。
（１０）
受信装置の受信方法において、
前記受信装置が、
デジタルケーブルテレビ放送の規格に準拠したデジタル放送信号を受信し、
前記デジタル放送信号で伝送されるDVB-C2の規格に準拠した第１の記述子に含まれる伝送制御情報を少なくとも含む第２の記述子に基づいて、前記デジタル放送信号で伝送されるデータの受信を制御する
ステップを含む受信方法。
（１１）
DVB-C2の規格に準拠した第１の記述子に含まれる伝送制御情報を少なくとも含む第２の記述子を生成する生成部と、
生成された前記第２の記述子と、前記第２の記述子により受信が制御されるデータを、デジタルケーブルテレビ放送の規格に準拠したデジタル放送信号で送信する送信部と
を備える送信装置。
（１２）
前記伝送制御情報には、チューニング周波数を示す情報と、PLPを識別するPLP IDが含まれる
（１１）に記載の送信装置。
（１３）
前記伝送制御情報には、記述子タグ、記述子長、同一の記述子タグであるが異なる記述子を使用するために使用する値が指定される記述子タグ拡張、データスライスを識別するデータスライスID、前記チューニング周波数の種類、OFDMの有効シンボル長、及び、OFDMのガードインターバルを示す情報がさらに含まれる
（１２）に記載の送信装置。
（１４）
前記第２の記述子は、PLPを伝送するために使用するデータスライスの数が指定されるバンドルドチャンネルを含む
（１３）に記載の送信装置。
（１５）
前記バンドルドチャンネルにより指定されるデータスライスの数に応じて、送信側において、高データレートのストリームを、複数の分割ストリームに分割して伝送し、受信側において、複数の分割ストリームを、元のデータレートのストリームに再構築するPLPバンドリングの使用の有無が指定される
（１４）に記載の送信装置。
（１６）
前記第２の記述子は、前記バンドルドチャンネルにより指定されるデータスライスの数に応じて、データスライスごとの情報が配置される
（１５）に記載の送信装置。
（１７）
前記第２の記述子は、符号化方式、及び、変調方式を示す情報をさらに含む
（１４）乃至（１６）のいずれか一項に記載の送信装置。
（１８）
前記符号化方式、及び、前記変調方式を示す情報は、特定の符号化方式と特定の変調方式が指定されたL1信号の参照を指示する
（１７）に記載の送信装置。
（１９）
前記符号化方式を示す情報には、特定の符号化方式が指示され、
前記変調方式を示す情報には、特定の変調方式が指示される
（１７）に記載の送信装置。
（２０）
送信装置の送信方法において、
前記送信装置が、
DVB-C2の規格に準拠した第１の記述子に含まれる伝送制御情報を少なくとも含む第２の記述子を生成し、
生成された前記第２の記述子と、前記第２の記述子により受信が制御されるデータを、デジタルケーブルテレビ放送の規格に準拠したデジタル放送信号で送信する
ステップを含む送信方法。
【符号の説明】
【０２０９】
１  伝送システム，  １０  送信装置，  ２０  受信装置，  ３０  伝送路，  １１１  データ取得部，  １１２  データスライス処理部，  １１３  フレーム構成部，  １１４  送信部，  １２１，１２５  PLP処理部，  １２２  データスライス構成部，  １３１  データ処理部，  ２１１  制御部，  ２１２  受信部，  ２１３  フレーム分解部，  ２１４  データ処理部，  ２３１  データスライス処理部，  ２３２  バッファ，  ９００  コンピュータ，  ９０１  CPU
【図１】
2015211280.tif 000003
【図２】
2015211280.tif 000004
【図３】
2015211280.tif 000005
【図４】
2015211280.tif 000006
【図５】
2015211280.tif 000007
【図６】
2015211280.tif 000008
【図７】
2015211280.tif 000009
【図８】
2015211280.tif 000010
【図９】
2015211280.tif 000011
【図１０】
2015211280.tif 000012
【図１１】
2015211280.tif 000013
【図１２】
2015211280.tif 000014
【図１３】
2015211280.tif 000015
【図１４】
2015211280.tif 000016
【図１５】
2015211280.tif 000017
【図１６】
2015211280.tif 000018
【図１７】
2015211280.tif 000019
【図１８】
2015211280.tif 000020
【図１９】
2015211280.tif 000021
【図２０】
2015211280.tif 000022
【図２１】
2015211280.tif 000023
【図２２】
2015211280.tif 000024
【図２３】
2015211280.tif 000025
【図２４】
2015211280.tif 000026
【図２５】
2015211280.tif 000027
【図２６】
2015211280.tif 000028